(57)【要約】      （修正有）【課題】折畳、組立が簡単で、運搬が容易なバット・ヘルメットホルダーを提供する。【解決手段】両端にキャスターを取り付けた一対のベース２を対向するように配置し、このベース２の中間振分け位置に長い柱３と短い柱４とを平行状態にして立設し、上記短い柱４の頂部に長い柱３に向けて短軸５を亘設し、この短軸５に片持ちアーム６を回動可能に嵌め合わせ、この片持ちアーム６の自由端を蝶番で連結し、上記長い柱３の頂部に上記短軸５と同方向に短軸８を設ける。この短軸８に片持ちアームを回動可能に嵌め合わせ、この片持ちアームの自由端を蝶番１０で連結し、この蝶番１０またはその近傍に三本の控え金を揺動可能に取付け、この控え金の自由端を片持ちアーム６の連結部・蝶番１０と、片持ちアーム６の中間点に架け渡す。さらに、上記片持ちアーム６等にバットホルダー１３およびヘルメットホルダー１４を取り付けてなる。【選択図】図４
0003174722.tif 000002
【実用新案登録請求の範囲】
【請求項１】
両端にキャスター（１）を取り付けた一対のベース（２）を対向するように配置し、このベース（２）の中間振分け位置に長い柱（３）と短い柱（４）とを平行状態にして立設し、上記短い柱（４）の頂部に長い柱（３）に向けて短軸（５）を亘設し、この短軸（５）に片持ちアーム（６）を回動可能に嵌め合わせ、この片持ちアーム（６）の自由端を蝶番（７）で連結し、上記長い柱（３）の頂部に上記短軸（５）と同方向に短軸（８）を設け、この短軸（８）に片持ちアーム（９）を回動可能に嵌め合わせ、この片持ちアーム（９）の自由端を蝶番（１０）で連結し、この蝶番（１０）またはその近傍に三本の控え金（１１）を揺動可能に取付け、この控え金（１１）の自由端を片持ちアーム（６）の連結部・蝶番（１０）と、片持ちアーム（６）の中間点（１２）に架け渡し、上記片持ちアーム（６）（９）に、バットホルダー（１３）およびヘルメットホルダー（１４）を取り付けてなるバット・ヘルメットホルダー。
【考案の詳細な説明】
【技術分野】
【０００１】  この考案は嵩低く折畳むことができ、持ちは運び容易なバット・ヘルメットホルダーに関する。
【背景技術】
【０００２】  バット・ヘルメットホルダーに関する先行技術としては、特開２００６−３２５７８９がある。この提案によれば運搬可能な「バット・ヘルメットストッカー」とされている。しかし、運搬可能とされているが折畳みが可能で、肩掛けで簡単に持ち運びができるまでには至っていない。
【考案の開示】
【考案が解決しようとする課題】
【０００３】  この考案は、折り畳みが可能で嵩低くすることができ肩掛けスタイルで簡単に持ち運びができるバット・ヘルメットホルダーを提供することを課題とする。
【課題を解決するための手段】
【０００４】  上記課題を解決するためにこの考案は、両端にキャスター１を取り付けた一対のベース２を対向するように配置し、このベース２の中間振分け位置に長い柱３と短い柱４とを平行状態にして立設し、上記短い柱４の頂部に長い柱３に向けて短軸５を亘設し、この短軸５に片持ちアーム６を回動可能に嵌め合わせ、この片持ちアーム６の自由端を蝶番７で連結し、上記長い柱３の頂部に上記短軸５と同方向に短軸８を設け、この短軸８に片持ちアーム９を回動可能に嵌め合わせ、この片持ちアーム９の自由端を蝶番１０で連結し、この蝶番１０またはその近傍に三本の控え金１１を揺動可能に取付け、この控え金１１の自由端を片持ちアーム６の連結部・蝶番１０と、片持ちアーム６の中間点１２に架け渡し、上記片持ちアーム６および９にバットホルダー１３およびヘルメットホルダー１４を取り付けてなる構成を採用したものである。
【考案の効果】
【０００５】  このように構成するこの考案によれば、控え金１１を片持ちアーム６から外すことにより短い柱４、長い柱３、片持ちアーム６・９は短軸５と８を中心にして平行四辺形状態に変形して極めて簡単に折り畳むことができ、図１で示すようにベルトを巻きつけて肩掛け状態で持ち運びできるようになる。【０００６】
【考案を実施するための最良の形態】
【０００７】  次にこの考案の実施の形態を、図面を参照しながら説明する。
【実施例１】
【０００８】  図１はこの考案に係るバット・ヘルメットホルダーを折り畳んでベルトで束ねて、肩掛け状態で持ち運んでいる状態を示す。【０００９】  図２はグランドに横倒し状態にして長い柱５、短い柱４、片持ちアーム６および９を広げる寸前の状態である。【００１０】  図３は、この状態から長い柱５に付設したグリップを持って長い柱５、短い柱４の間隔を広げつつある状態を示している。このとき長い柱５、短い柱４と片持ちアーム６および９は平行四辺形状態を保ちながら広がるようになっている。【００１１】  図４から図６は、長い柱５、短い柱４の間隔は充分に広がり片持ちアーム６および９は、蝶番で繋がれた状態でほぼ真っ直ぐの状態になり、控え金１１の自由端を片持ちアーム６に設けたピンに引っ掛けて片持ちアーム６および９を固定（蝶番で連結した部分で折れ曲がらないようにする）しているところを示す。ここで片持ちアーム６および９を蝶番で連結した部分には控え金１１ａが架け渡され、この控え金１１ａを中心にして平行四辺形運動をしながら広げたり、スムーズに畳んだりできるようになっている。【００１２】  図７は、組み立てが完了した状態で、片持ちアーム６および９にはバットホルダー１３およびヘルメットホルダー１４が適宜の間隔で取り付けられており、図８ではこうして組み立てられたものにバットおよびヘルメットが納められたところを示し、バットホルダーは断面Ω形をした部材であり、バットのグリップエンドで止まるようになり、ヘルメットホルダーは片持ちアーム６および９に、適当な間隔で短軸を斜め上向けに植設したものである。なお、ベース２にキャスター１を取り付けているが、これはホルダーを組み立てた状態、さらにバットおよびヘルメットをセットした状態で容易に移動できるようにしたものである。
【産業上の利用可能性】
【００１３】  以上説明したようにこの考案によれば、折り畳み、ベルトで縛り肩掛け状態で持ち運びが可能になり、グランドで使用するときは骨格を広げて控え金１１の自由端を片持ちアーム６のピンにはめ込むことにより組み立ては完了する。特に、骨格を平行四辺形運動させながら折畳み、組み立てをすることができるのでいつでも整った形で操作でき利用価値の高いものである。
【図面の簡単な説明】
【００１４】
【図１】図面代用写真  本考案に係るバット・ヘルメットホルダーの持ち運び状態を示す。
【図２】図面代用写真  同組み立て説明図その１
【図３】図面代用写真  同組み立て説明図その２
【図４】図面代用写真  同組み立て説明図その３
【図５】図面代用写真  同組み立て説明図その４
【図６】図面代用写真  同組み立て説明図その５
【図７】図面代用写真  同組み立て完了図
【図８】図面代用写真  同使用状態説明図
【符号の説明】    １  キャスター
２  ベース
３  長い柱
４  短い柱
５  短軸（短い柱側）
６  片持ちアーム（短い柱側）
７  蝶番（片持ちアーム６側）
８  短軸（長い柱側）
９  片持ちアーム（長い柱側）
１０  蝶番（片持ちアーム９側）
１１  控え金
１１ａ  （中央の）控え金
１２  （片持ちアーム６側）の中間点
１３  バットホルダー
１４  ヘルメットホルダー
【図１】
0003174722.tif 000003
【図２】
0003174722.tif 000004
【図３】
0003174722.tif 000005
【図４】
0003174722.tif 000006
【図５】
0003174722.tif 000007
【図６】
0003174722.tif 000008
【図７】
0003174722.tif 000009
【図８】
0003174722.tif 000010